(57)【特許請求の範囲】
【請求項１】
主局であるデータ収集機に従局である複数台のカード入力端末機を接続して、これ等データ収集機とカード入力端末機の間でデータの通信を行う通信システムに於いて、
上記のカード入力端末機に、
自機以外の他のカード入力端末機からデータ収集機に通信データが送信されている際に、その通信データを傍受（受信）して肯定・否定の応答は返さないようにした通信傍受手段と、
傍受した通信データの種類が予め特定されているものであり、且つ、受信エラーがなかった場合に、この傍受データをメモリの該当領域に格納するデータ格納手段と、
傍受した特定データをメモリの該当領域に格納した場合に、傍受完了通知をデータ収集機に送信する傍受通知手段と、
データ収集機或はカード入力端末機から送出される通信データを傍受（受信）する際に、現在交信中の通信アドレスを検出するアドレス検出手段と、
自機以外の他のカード入力端末機からデータ収集機に対して傍受完了通知が送信されるのを傍受（受信）した時に、その際の通信アドレスに対応するカード入力端末機に関して特定データの傍受及び格納が完了したものとみなす傍受確認手段と、
を具備せしめたことを特徴とする通信傍受機能付きカード入力端末機。
【発明の詳細な説明】
【０００１】
【発明の属する技術分野】
本発明は、データ収集機に複数台のカード入力端末機を接続してデータの通信を行う通信システムの技術分野に属するものであって、具体的には、此種通信システムに使用して好適なカード入力端末機の構造に関するものである。
【０００２】
【従来の技術】
例えば、パソコンに複数台のタイムレコーダ端末機を接続した従来の通信システムに於いては、各々のタイムレコーダ端末機から出勤・退勤等の勤怠データがパソコンに送信されたり、逆にパソコンから残業・休暇等の情報や、設定パラメータが各々のタイムレコーダ端末機に送信されたりしているが、これ等の各通信は、すべてパソコン（データ収集機）とタイムレコーダ端末機（カード入力端末機）との間でデータのやり取りを行うものであって、複数台のタイムレコーダ端末機同士がお互いのデータを直接受け渡しするようには構成されていない。
【０００３】
また、特開平４−３１３１７７号公報に記載されている設定パラメータ記憶手段及びタイムレコーダには、互いに通信接続されていないスタンドアロンタイプの複数台のタイムレコーダに関して、パラメータ入力作業を簡略化する手段が開示されている。
【０００４】
即ち、持ち運び可能な記憶手段と、その記憶手段を着脱可能にするコネクタが装備されたタイムレコーダを用いることによって、一台のタイムレコーダでキー入力されたパラメータ内容を、一旦コネクタを介して記憶手段に格納した後、この記憶手段を取外して持ち運ぶことによって、他のタイムレコーダのコネクタに差込んでパラメータを転送する手段が示されている。
【０００５】
現代のような情報化社会にあっては、異機種のコンピュータ同士を接続して通信システムを構築するシステムインテグレーション技術が普及しており、タイムレコーダの通信システムに於いても、データ収集機の製造メーカと、タイムレコーダ端末機の製造メーカとが異なっていて、これ等異なっているもの同士を通信接続して使用する場合がある。
【０００６】
一方、タイムレコーダ端末機を使用する場合には、予め出勤キーと退勤キーの点灯切換時刻、現在時刻の表示形成（２４Ｈ制或はＡＭ／ＰＭの１２Ｈ制）、時報を鳴らす曜日・時刻・吹鳴時間幅と云った、各種のパラメータを設定入力しておく必要があり、タイムレコーダ端末機は自身に設定入力されたこれ等各種のパラメータに従って動作する仕組に成っている。
【０００７】
【発明が解決しようとする課題】
ところで、これ等の各種設定パラメータは、各々のタイムレコーダ端末機に於いて殆ど同じ設定内容であるため、各々のタイムレコーダ端末機で個別にキー入力するのではなく、通常の場合、要するにデータ収集機とタイムレコーダ端末機の製造メーカが同一、或は、同系である場合には、データ収集機（パソコン等）にて一括入力したものを各々のタイムレコーダ端末機に送信することができる。
【０００８】
しかし、データ収集機とタイムレコーダ端末機の製造メーカが異なる場合は、タイムレコーダ端末機のパラメータ設定入力をデータ収集機側で行えるようになっておらず、パラメータの設定には各々のタイムレコーダ端末機で個別にキー入力しなくてはならず、非常に煩雑であった。
【０００９】
これは、例えばＬＡＮに接続されたＡ社製のコンピュータとＢ社製のコンピュータに於いて、Ａ社製コンピュータの環境設定をＢ社製コンピュータから入力操作できないのと同じ理屈である。
【００１０】
尚、データ収集機で他社製のタイムレコーダ端末機に対してパラメータを入力設定できるものを新たに開発するか、或は、タイムレコーダ端末機（カード入力端末機）の一台にデータ収集機の通信機能を持たせれば、上述した問題は解消可能であるが、しかし、開発コストが非常に高く付いてしまって、実際問題として実現不可能である。
【００１１】
従って本発明の技術的課題は、データ収集機に複数台のカード入力端末機を接続してデータの通信を行う通信システムに於いて、一台のカード入力端末機でキー入力した設定パラメータを、他のカード入力端末機にも送信して設定入力できるようにすることによって、面倒なパラメータ入力作業を簡略化することである。
【００１２】
【課題を解決するための手段】
上記の技術的課題を解決するために本発明に係る通信傍受機能付きカード入力端末機は、主局であるデータ収集機に従局である複数台のカード入力端末機を接続して、これ等データ収集機とカード入力端末機の間でデータの通信を行う通信システムに於いて、上記のカード入力端末機に、自機以外の他のカード入力端末機からデータ収集機に通信データが送信されている際に、その通信データを傍受（受信）して肯定・否定の応答は返さないようにした通信傍受手段と、傍受した通信データの種類が予め特定されているものであり、且つ、受信エラーがなかった場合に、この傍受データをメモリの該当領域に格納するデータ格納手段と、傍受した特定データをメモリの該当領域に格納した場合に、傍受完了通知をデータ収集機に送信する傍受通知手段と、データ収集機或はカード入力端末機から送出される通信データを傍受（受信）する際に、現在交信中の通信アドレスを検出するアドレス検出手段と、自機以外の他のカード入力端末機からデータ収集機に対して傍受完了通知が送信されるのを傍受（受信）した時に、その際の通信アドレスに対応するカード入力端末機に関して特定データの傍受及び格納が完了したものとみなす傍受確認手段と、を具備せしめたことを特徴としている。
【００１３】
【作用】
一般的な通信手順では、複数台あるカード入力端末機のうちの１台がデータ収集機と交信する権利を得ると（データリンクが確立すると）、それ以外の他のカード入力端末機は何もせずにその交信が終了するまで待ちの状態となるが、上述した通信傍受手段によって、現在交信中のカード入力端末機がデータ収集機に対して送信している通信データを、自機に取り込むことを可能にする。
【００１４】
原理的には、一般的な通信手順に於ける主局からの一斉同報送信を受信する場合と同じであるが、上記の通信傍受手段によれば、１つの従局が発信した通信データを他のすべての従局が受信することを可能にする。
【００１５】
また、上述したデータ格納手段により、傍受した通信データのうち必要なものだけを選別し、他のカード入力端末機に保存される特定のデータを自機のメモリに記憶することを可能にする。
【００１６】
上述した傍受通知手段とアドレス検出手段、及び、傍受確認手段は、各々のカード入力端末機が傍受及びメモリへの格納を完了したか否かの確認を、特定データの発信元のカード入力端末機に於いて確認できるようにするためのものである。
【００１７】
即ち、傍受及び格納を行ったカード入力端末機は、上記の傍受通知手段を用いて傍受・格納が完了したことを示す通知データを通信ライン上に流し、一方、特定データの発信元であるカード入力端末機では、通信ライン上に流れた通知データを上記アドレス検出手段と傍受確認手段により認識して、傍受・格納が完了したことを確認することができる。
【００１８】
更に、１台のカード入力端末機の中に上記傍受通知手段と上記アドレス検出手段及び傍受確認手段が混在するので、任意のどのカード入力端末機からでも特定データを発信することができ、また、他のすべてのカード入力端末機から傍受完了通知を返すこともできるため、発信元を自由に選ぶことができると共に、運用途中で発信元を変更することも可能にする。
【００１９】
【発明の実施の形態】
以下に、本発明に係る通信傍受機能付きカード入力端末機の実施の形態を図面と共に説明すると、図１は本発明のカード入力端末機の一例を示した外観図であって、図中１は機体、２は日時や必要なデータ類を表示する表示器、３は出勤の時に押下する出勤キー、４は退勤の時に押下する退勤キー、５は外出の時に押下する外出キー、６は外出から戻った時に押下する戻りキーで、これ等の各キー３〜６によってキーボード１Ｋが構成される。
【００２０】
３Ｒ，４Ｒ，５Ｒ，６Ｒは各キー３〜６を押下（ＯＮ）すると点灯するキーランプ、７はＩＤカード（図示省略）の挿通溝、８は４線式通信線が入ったケーブルであって、図３に示すようにこのケーブル８を用いて複数台（図示の場合は３１台）のカード入力端末機（１−１）〜（１−３１）をデータ収集機２０に接続することによって、データ収集機２０と各カード入力端末機（１−１）〜（１−３１）の間でデータ通信を行う通信システムが構築される。
【００２１】
図２は、上記カード入力端末機１の電気的構成を説明したブロック図であって
、１０はＣＰＵ、１１はバス、１２はシステムプログラムを格納したＲＯＭ、１３はパラメータやその他の必要なデータ類が格納されるＲＡＭ（メモリ）、１４と１５は上述した４線式の通信線が接続された送信ドライバと受信ドライバ、１６はインターフエイス回路で、このインターフエイス回路１６にはＤＩＰスイッチ１７と、カード入力装置１８と、発音装置１９と、前述した表示器２、キーボード１Ｋ、及び、キーランプ３Ｒ〜６Ｒが接続されていて、夫々がＣＰＵ１０の監視下で制御される仕組に成っている。
【００２２】
尚、図３に示した通信システムでは、データ収集機２０を主局としたポーリング／セレクテイング方式の基本型データリンク手順にて通信が行われるものであって、データ収集機２０は各々のカード入力端末機（１−１）〜（１−３１）に対して順番にポーリングをかけて勤怠データを要求するように構成されており、ポーリングの順番は端末機（１−１）→端末機（１−２）→……→端末機（１−３１）→端末機（１−１）であって、一巡したら最初から繰返すことを常時行っている。
【００２３】
そして、データ収集機２０の内部時計（図示省略）が１分経過する毎に、データ収集機２０は時計データをセレクテイングによってすべてのカード入力端末機（１−１）〜（１−３１）に送信するが、この場合のセレクテイングの形態は一斉同報通信であり、すべてのカード入力端末機（１−１）〜（１−３１）はこの時計データを皆一斉に同時受信して、自機のメモリ１３に格納するように構成されている。
【００２４】
図４は、データ収集機２０が送信するポーリング又はセレクテイングのデータ構成を示したものであって、ポーリングの場合は１台のカード入力端末機１だけを指定するため、その端末番号が通信アドレスとなる仕組に成っており、また、セレクテイングの場合には、一斉同報通信を示す値“９９”が通信アドレスとなる仕組に成っている。
【００２５】
図５は、カード入力端末機１からデータ収集機２０に送信される勤怠データと、設定パラメータと、傍受完了通知、及び、データ収集機２０から全てのカード入力端末機１…宛に送信される時計データのデータ構成を示した概略図であって、各々のデータは、伝送制御文字であるＳＴＸ（Ｓｔａｒｔ  ｏｆ  Ｔｅｘｔ）とＥＴＸ（Ｅｎｄ  ｏｆ  Ｔｅｘｔ）によってはさまれたデータテキスト部分と、ＥＴＸの後ろに付加されたＢＣＣ（Ｂｌｏｃｋ  Ｃｈｅｃｋ  Ｃｈａｒａｃｔｅｒ）によって構成されており、更に、データテキストはデータ種別とデータ主部に分解され、このデータ種別によってデータの種類が判別できるようになっているが、このデータ主部の詳細な構成は本発明の請求範囲外のものであるから、ここではその説明を省略する。
【００２６】
尚、通信データの種類としては、他にデータ収集機２０がカード入力端末機１に返す肯定応答と否定応答があるが、図面では省略されている。
【００２７】
図６は、前述した請求項１に記載したカード入力端末機１に於ける通信手段を説明した状態遷移図であって、請求項１に示した傍受通知手段と、アドレス検出手段と、傍受確認手段の各実施例を、次のように順を追って説明することになる。
【００２８】
（１）  ある１台のカード入力端末機１にて設定パラメータを発信する。
（２）  それを他の全てのカード入力端末機１…が傍受する。
（３）  傍受したカード入力端末機１が１台ずつ個別に傍受完了通知を送信する。
（４）  発信元のカード入力端末機にて、他の各々のカード入力端末機１…から個別に送信される傍受完了通知を受信（傍受）し、傍受が完了したか否かを把握する。
【００２９】
先ず、発信元のカード入力端末機１に於いて、（Ｓ２１）の待機状態でＥＮＱを受信すると、（Ｓ２２）で通信アドレスを解析し、それが自機であるならば  （Ｓ２３）に進んで設定パラメータの発信要求をチェックして、現在、パラメータ発信要求操作により要求がだされている場合には、（Ｓ３０）に進んでメモリ１３の設定パラメータフアイルから設定パラメータを読出した後、（Ｓ３１）に進んで読取した設定パラメータ（図５参照）をデータ収集機２０に送る。
【００３０】
次いで、（Ｓ３２）に進んでデータ収集機２０からの応答待ちとなり、データ収集機２０から否定応答が返って来たならば、（Ｓ３１）に戻って設定パラメータを再送するが、肯定応答が来たならば（Ｓ３３）に進んで変数の配列である傍受結果〔１〕〜〔３１〕を“０”にクリアして（Ｓ２１）の待機状態に戻る。
【００３１】
尚、傍受結果〔１〕〜〔３１〕は、各々のカード入力端末機１…毎に設定パラメータの傍受が完了したか否かを示す配列であって、値が“１”の場合に傍受完了を意味する。
【００３２】
一方、発信元以外のカード入力端末機１では、（Ｓ２１）の待機状態でＥＮＱを受信した際、上述した（Ｓ２２）で解析した通信アドレスが他機であった場合は、（Ｓ３７）に進んで変数“ｋ”にその通信アドレス（現在交信中の端末機番号）を一時記憶し、（Ｓ３８）に進んでその直後に他機が送信する通信データを傍受するが、傍受が受信エラーとなったならば何もせずに（Ｓ２１）の待機状態に戻る。
【００３３】
また、正常受信の場合は（Ｓ３９）に進んでデータ種別を解析し、それが設定パラメータであったならば（Ｓ４０）でメモリ１３の設定パラメータフアイルに格納し、次いで、（Ｓ４１）で傍受完了フラグを“１”にした後、上述した（Ｓ３３）に進んで変数の配列である傍受結果〔１〕〜〔３１〕を“０”にクリアして、（Ｓ２１）の待機状態に戻る。
【００３４】
その後、データ収集機２０によって自機が呼び出されて、（Ｓ２３）で設定パラメータの発信要求が無い場合は、（Ｓ２４）に進んで上記の傍受完了フラグをチェックして、傍受完了フラグが“１”ならば、（Ｓ２７）に進んで傍受完了通知（図５参照）をデータ収集機２０に送信し、次いで、（Ｓ２８）に進んでデータ収集機２０からの応答待ちとなり、否定応答が返って来たならば（Ｓ２７）に戻って傍受完了通知を再送するが、肯定応答が来たならば（Ｓ２９）で傍受完了フラグを“０”にクリアして、（Ｓ２１）の待機状態に戻る。
【００３５】
また、上記（Ｓ２４）に於ける傍受完了フラグチェックの結果、傍受完了フラグが“０”ならば、（Ｓ２５）に進んで勤怠データをデータ収集機２０に送信し、次いで、（Ｓ２６）に進んでデータ収集機２０からの応答待ちとなり、否定応答が返って来たならば（Ｓ２５）に戻って勤怠データを再送するが、肯定応答が来たならばそのまま（Ｓ２１）の待機状態に戻る。
【００３６】
一方、発信元のカード入力端末機１では現在、パラメータ発信要求操作モードが続いており、（Ｓ２１）の待機状態でＥＮＱを受信すると、（Ｓ２２）で通信アドレスの解析が行われ、他機アドレスであった場合には（Ｓ３７に進んで変数“ｋ”にその通信アドレス（現在交信中の端末機番号）を一時的に記憶しておき、直後に（Ｓ３８）に進んで他機が送信する通信データを傍受する。
【００３７】
そして、受信エラーの場合はそのまま待機状態（Ｓ２１）に戻るが、正常終了した場合は（Ｓ３９）に進んで傍受した通信データのデータ種別を解析し、これが前述した傍受完了通知であったならば、（Ｓ４２）に進んで現在の操作モードをチェックし、チェックの結果、現在の操作モードがパラメータ発信要求操作であれば、（Ｓ４３）に進んで前述した傍受結果の配列のうち、上記の変数“ｋ”に対応する要素、即ち、傍受結果〔ｋ〕を“１”にして待機状態（Ｓ２１）に戻り、また、その他の操作であればそのまま待機状態（Ｓ２１）に戻る。
【００３８】
一方、上述した通信アドレスを解析した時に“９９”であったならば、データ収集機２０による時計データの一斉同報送信であると判断し、（Ｓ３４）に進んでＥＮＱの直後に送信される時計データを受信するが、その際、受信エラーとなれば何もせずに（Ｓ２１）の待機状態に戻り、正常に終了すれば（Ｓ３５）に進んで受信した時計データをメモリに記憶して、（Ｓ３６）でその現在日時を表示器２に表示する。
【００３９】
以上のようにして、各々のカード入力端末機１…に於ける傍受の結果が、発信元のカード入力端末機１のメモリ１３に保持された傍受結果〔１〕〜〔３１〕の配列に記録されるのである。
【００４０】
尚、図示はしていないが、上記の傍受結果〔１〕〜〔３１〕を利用して、それ等の値を表示器２に表示することによって視覚的な確認ができるし、或は、別の例として、上記の傍受結果〔１〕〜〔３１〕のうち自機以外の全てが“１”になるまで、設定パラメータの発信を自動的に繰返すことも可能である。
【００４１】
尚、以上の実施例に於いて、特定データが設定パラメータの場合を例にとって本発明を説明したものであって、図６に於いて（Ｓ３８）〜（Ｓ４０）が、請求項１に記載した  「通信傍受手段」と、「データ格納手段」を示し、また、図６で符号Ｘで示した部分（Ｓ２４），（Ｓ２７）〜（Ｓ２９）と（Ｓ４１）が、請求項１に記載した「傍受通知手段」を示し、同じく図６で符号Ｙで示した部分（Ｓ２２）と（Ｓ３７）が、請求項１に記載した「アドレス検出手段」を示し、更に、図６で符号Ｚで示した部分（Ｓ４３）が、請求項１に記載した  「傍受確認手段」を示している。
【００４２】
而して、図８は、上述した本発明の全体を明示した構成図である。
【００４３】
【発明の効果】
以上述べた次第で、本発明に係る通信傍受機能付きカード入力端末機によれば、データ収集機に負担をかけることなく、複数のカード入力端末機同士の間でデータを受け渡しすることができるため、データ収集機とカード入力端末機の製造メーカが異なる通信システムで用いて洵に便利なものであり、また、データ収集機の通信処理を複雑にしたくない場合に用いても効果的である。
【図面の簡単な説明】
【図１】   本発明に係る通信傍受機能付きカード入力端末機の外観図である。
【図２】   本発明に係る通信傍受機能付きカード入力端末機の電気的構成を示したブロック図である。
【図３】   本発明に係る通信傍受機能付きカード入力端末機を用いた通信システムの接続構成図である。
【図４】   データ収集機が発するポーリング／セレクテイングデータの構成図である。
【図５】   カード入力端末機或はデータ収集機から送信される通信データの構成図である。
【図６】   本発明の請求項１に記載したカード入力端末機に於ける通信手順を説明した状態遷移図である。
【図７】   本発明の全体を明示した構成図である。
【符号の説明】
１                カード入力端末機
１Ｋ              キーボード
２                表示器
１３              メモリ
２０              データ収集機
【図１】
0003672730.tif 000002
【図２】
0003672730.tif 000003
【図３】
0003672730.tif 000004
【図４】
0003672730.tif 000005
【図５】
0003672730.tif 000006
【図６】
0003672730.tif 000007
【図７】
0003672730.tif 000008